(57)【要約】【課題】製造を容易に行い、コストの低減を図ることができるとともに、表面の凹凸模様を多様化された趣のある意匠性に富んだもにすることができるアクセサリーを提供する。【解決手段】攪拌混合容器４４の内部に和紙製の経糸と緯糸よって織成された織布を短く切断して得られた織り癖の付いた多数の切断撚り糸４２ａ，４３ａを収容するとともに、水性形接着剤４５を収容し、攪拌具４６によって撹拌混合する。得られたアクセサリー素材としての切断撚り糸混合接着剤４７を所望する形状に成形して固化し、アクセサリーを形成する。このアクセサリーの表面に前記切断撚り糸４２ａ，４３ａによって複雑で多様化された趣のある凹凸模様が形成される。【選択図】      図９
2006034362.tif 000002
【特許請求の範囲】
【請求項１】
液状樹脂に対し、アクセサリーの表面の凹凸形状を多様化する多様化材を混合して該液状樹脂を固化したことを特徴とするアクセサリー。  
【請求項２】
請求項１において、前記液状樹脂は水性形接着剤であることを特徴とするアクセサリー。
【請求項３】
請求項１又は２において、前記多様化材は撚り糸を切断したものであることを特徴とするアクセサリー。
【請求項４】
請求項１又は２において、前記多様化材は撚り糸を織成した織布を切断して形成された切断撚り糸であることを特徴とするアクセサリー。
【請求項５】
請求項３又は４において、前記撚り糸の材料は和紙であることを特徴とするアクセサリー。
【請求項６】
液状樹脂と多様化材を混合して、アクセサリー素材を作成する工程と、
上記アクセサリー素材を所望する形状に成形する工程と、
上記工程により得られたアクセサリー素材を固化する工程と
を含むことを特徴とするアクセサリーの製造方法。
【発明の詳細な説明】
【技術分野】
【０００１】
本発明は、表面の凹凸形状が多様化されたアクセサリー及びその製造方法に関する。
【背景技術】
【０００２】
例えば、ブローチは、樹脂で一体に成形されたアクセサリー（装飾品）と、このアクセサリーを衣服に装着するための係止金具とによって構成されている。又、バレッタは、樹脂で一体に成形されたアクセサリー（装飾品）と、このアクセサリーを髪の毛に装着するためのクランプ金具とによって構成されている。前記アクセサリーは、外観を良くするために着色された樹脂を用いたり、型成形された透明樹脂の中に各種の形状を有する固形物を埋設したりするようになっていた。又、アクセサリーの表面に凹凸模様を型成形することも行われている。さらに、特許文献１には、ベース部材に形成した収納部に所定形状の装飾体を収容し、前記収納部に溶融状態の合成樹脂材を充填することにより成形用金型をなくしたアクセサリーの製造方法が開示されている。
【特許文献１】特開２００３−１５９１０７号公報
【発明の開示】
【発明が解決しようとする課題】
【０００３】
ところが、上記従来のブローチあるいはバレッタ等のアクセサリーは、表面形状を趣のある多様化されたものにするのが難しいとともに、成形装置が必要で製造が面倒で、コストの低減を図ることができないという問題があった。又、特許文献１に開示されたアクセサリーは、収納部に充填された合成樹脂材の表面形状が面一で単調となり意匠性に乏しいという難点があった。
【０００４】
本発明は、上記従来の技術に存する問題点を解消して、製造を容易に行い、コストの低減を図ることができるとともに、表面の凹凸模様を多様化された趣のある意匠性に富んだもにすることができるアクセサリー及びその製造方法を提供することにある。
【課題を解決するための手段】
【０００５】
上記問題点を解決するために、請求項１に記載の発明は、液状樹脂に対し、アクセサリーの表面の凹凸形状を多様化する多様化材を混合して該液状樹脂を固化したことを要旨とする。
【０００６】
請求項２に記載の発明は、請求項１において、前記液状樹脂は水性形接着剤であることを要旨とする。
請求項３に記載の発明は、請求項１又は２において、前記多様化材は撚り糸を切断したものであることを要旨とする。
【０００７】
請求項４に記載の発明は、請求項１又は２において、前記多様化材は撚り糸を織成した織布を切断して形成された切断撚り糸であることを要旨とする。
請求項５に記載の発明は、請求項３又は４において、前記撚り糸の材料は和紙であることを要旨とする。
【０００８】
請求項６に記載の発明は、液状樹脂と多様化材を混合して、アクセサリー素材を作成する工程と、上記アクセサリー素材を所望する形状に成形する工程と、上記工程により得られたアクセサリー素材を固化する工程とを含むことを要旨とする。
【発明の効果】
【０００９】
本発明によれば、液状樹脂に表面の凹凸模様を多様化する多様化材を混合して液状樹脂を固化してアクセサリーを製造するので、製造を容易に行い、コストの低減を図ることができる。又、前記多様化材によってアクセサリーの表面に不規則で複雑な趣のある凹凸模様が現れるので、意匠性を向上することができる。さらに、前記多様化材の材質、形状或いは寸法等を変更するとともに、液状樹脂に混合する多様化材の割合を調整することにより、アクセサリーの表面の凹凸模様を所望する模様に容易に変更することができる。
【発明を実施するための最良の形態】
【００１０】
以下、本発明のアクセサリーをブローチ１１に具体化した一実施形態を図１〜図３に従って説明する。
ブローチ１１を構成する樹脂製のアクセサリー１２は、正面から見てほぼ花形状に形成され、その中央部には、円形の隆起部１３が一体に形成されている。前記隆起部１３の外周寄り近傍には、第１装飾リング１４が接着されている。この第１装飾リング１４は、図３に示すように円形リング状の針金１５と、この針金１５に装着された多数の小球１６とによって構成されている。前記小球１６は接着剤１７によって、前記アクセサリー１２の表面に接着されている。
【００１１】
前記第１装飾リング１４の外周寄り近傍には、第２装飾リング１８が接着されている。この第２装飾リング１８は、円環状をなす取付リング１９と、この取付リング１９の表面に接着された多数の椀状の座金２０と、各座金２０に嵌合接着されたガラス製の擬似ダイヤ２１とによって構成されている。前記取付リング１９は接着剤２２によって前記アクセサリー１２の表面に接着されている。
【００１２】
前記アクセサリー１２の裏面には、図２に示すように、係止金具２３が装着されている。この係止金具２３は、本体２４と、この本体２４の一端部に設けられたヒンジ部２５に対し、往復傾動可能に連結された係止ピン２６と、前記本体２４の他端部に一体に形成され、かつ前記係止ピン２６の先端部を係止するフック部２７とによって構成されている。
【００１３】
前記ブローチ１１のアクセサリー１２の構成及びその製造方法については、後に説明する。
次に、図４〜図６に基づいて、この発明をバレッタ３１に具体化した一実施形態を説明する。
【００１４】
このバレッタ３１は、アクセサリー３２と、このアクセサリー３２の裏面に接着剤３３によって取り付けられたクランプ金具３４とによって構成されている。クランプ金具３４は、前記アクセサリー３２の下面に前記接着剤３３によって接着された台座３５と、この台座３５の一端部に形成されたヒンジ部３６に回動可能に連結されたクランプレバー３７と、前記台座３５の他端部に設けられ、かつ、図６に示すように前記クランプレバー３７の先端部に形成された係止孔３７ａに係止可能な一対の係止金具３８，３９とを備えている。又、前記クランプレバー３７には前記台座３５に接触して髪の毛を弾性的にクランプするための板バネよりなるクランプ板４０が取り付けられ、このクランプ板４０には前記係止金具３８，３９を貫通する孔４０ａが形成されている。
【００１５】
従って、前記係止金具３８，３９に連結された操作部３８ａ，３９ａを図６において互いに接近する方向に操作すると、前記係止金具３８，３９の爪３８ｂ，３９ｂが、係止孔３７ａ，４０ａから外れる位置に移動されるので、前記クランプレバー３７が台座３５からクランプ板４０の弾性復元力によって離隔され、クランプ状態が解除される。なお、アンクランプ状態において、前記クランプ板４０及びクランプレバー３７の先端部を係止金具３８，３９の先端部に押し付けると、係止金具３８，３９の爪３８ｂ，３９ｂが互いに接近されて、前記孔４０ａ及び係止孔３７ａを貫通して係止孔３７ａに爪３８ｂ，３９ｂが係止される。
【００１６】
次に、前記ブローチ１１のアクセサリー１２及びバレッタ３１のアクセサリー３２の製造方法について図７〜図１１によって説明する。
図７に示すように織布４１は、和紙よりなる撚り糸としての経糸４２と緯糸４３を織機により平織りして形成されたものである。この織布４１を例えばハサミ等により細かく裁断して、図８に示すような多数の切断撚り糸４２ａ，４３ａを形成する。前記経糸４２又は緯糸４３は、例えば２〜５ｍｍの細幅寸法の和紙から撚り糸（単糸）を形成し、この撚り糸を二本用いて撚り機により撚り込んで双糸としたものである。この双糸に代えて三子撚り糸を用いたり、四子撚り糸以上の撚り糸を用いたりしてもよい。前記撚り糸（単糸）の太さは５号（平均直径０．１１７ｍｍ）以上が望ましく、太径の５０号（平均直径１．１７０ｍｍ）〜１５０号（平均直径２．０３０ｍｍ）がさらに適している。
【００１７】
図９に示すように、攪拌混合容器４４の内部に多数の前記切断撚り糸４２ａ，４３ａ及び水性形接着剤４５を収容し、攪拌具４６によって、撹拌して混合する。前記水性形接着剤４５として、酢酸ビニル樹脂（例えば４１％）及び水（例えば５９％）よりなるボンド（商品名：コニシ株式会社；大阪市中央区平野町２−１−２）を用いた。このように構成されたアクセサリー素材としての切断撚り糸混合接着剤４７を用いて、前記アクセサリー１２及びアクセサリー３２を成形する。この成形に際しては、攪拌混合容器４４内から切断撚り糸混合接着剤４７を必要量だけ例えばスプーン等によって取り出し、図１及び図３に示すように所望する形状になるように、手作業によってアクセサリー１２を成形する。同様にして、前記切断撚り糸混合接着剤４７を用いて、バレッタ３１を構成するアクセサリー３２を手作業によって所望する形状に成形する。成形後はアクセサリー１２及びアクセサリー３２をそれぞれ３〜４時間以上静置すると、水分が蒸発してアクセサリー１２，３２が適度な硬さに固化される。
【００１８】
固化されたアクセサリー１２，３２の裏面に前記係止金具２３及びクランプ金具３４を装着することにより、ブローチ１１及びバレッタ３１が製作される。
前記のように構成されたアクセサリー１２又はアクセサリー３２は、以下のような効果を奏する。
【００１９】
（１）前記実施形態では、経糸４２及び緯糸４３によって、織布４１を織成し、この織布４１を多数の切断撚り糸４２ａ，４３ａに切断する。そして、切断撚り糸４２ａ，４３ａと水性形接着剤４５を攪拌混合容器４４の内部で撹拌混合して、切断撚り糸混合接着剤４７を形成する。さらに、この切断撚り糸混合接着剤４７によって所望するブローチ１１のアクセサリー１２又はバレッタ３１のアクセサリー３２を形成した。このため、アクセサリー１２又はアクセサリー３２の表面に前記切断撚り糸４２ａ，４３ａによる不規則で多様な趣のある凹凸模様が現れて外観を向上することができる。
【００２０】
前記実施形態では、織布４１を切断するようにしたので、波状の織り癖がついた切断撚り糸４２ａ，４３ａを作成でき、このためアクセサリー１２，３２の表面形状を趣のあるものとすることができる。又、切断撚り糸４２ａ，４３ａの材質、糸の太さ及び切断長さ等を適宜に変更するとともに、水性形接着剤４５に対する切断撚り糸４２ａ，４３ａの混合割合（容積％）を適宜に調整することにより前記表面形状を所望する形状に容易に多様化することができる。
【００２１】
上記混合割合を例えば５０％以上にすることにより多数の切断撚り糸４２ａ，４３ａによる表面形状の多様化が促進される。
（２）前記実施形態では、水性形接着剤４５を用いたので、水性形接着剤４５が固化した状態において前記アクセサリー１２又はアクセサリー３２が柔軟性を有し、外部衝撃に対する耐力を向上することができる。
【００２２】
（３）前記実施形態では、多様化材として撚り糸よりなる経糸４２及び緯糸４３を織成した織布４１を切断して形成された切断撚り糸４２ａ，４３ａを用いたので、波状の変化に富んだ切断撚り糸４２ａ，４３ａを容易に形成することができる。
【００２３】
（４）前記実施形態では、撚り糸の材料として和紙を用いたので、撚り糸への水性形接着剤４５の浸透が適正に行われ、撚り糸と水性形接着剤４５の接合強度を向上することができる。
【００２４】
次に、この発明の別の実施形態を図１０〜図１６に基づいて説明する。
○  図１０に示すように、成型容器５１内に前記切断撚り糸混合接着剤４７を収容すると共に、切断撚り糸混合接着剤４７が固化して形成された切断撚り糸混合アクセサリー素材４７Ａを形成する。そして、前記成型容器５１から切断撚り糸混合アクセサリー素材４７Ａを取り出し、この素材４７Ａを所定の形状に切断して、アクセサリーを形成するようにしてもよい。
【００２５】
○  図１１に示すように切断撚り糸混合接着剤４７によって花瓶５２を形成し、その表面にアクセサリーとしての多様化された趣のある凹凸模様を形成してもよい。
○  図１２に示すように額縁５３の表面にアクセサリーとしての多様化された趣のある凹凸模様を形成してもよい。図１３に示すように額縁５３を構成する本体５４の表面に前記切断撚り糸混合接着剤４７によって形成されたアクセサリー５５を接着剤５６によって接着する。なお、本体５４の内側にはガラス板５７、絵画５８、押さえ板５９が収容され、係止具６０によって係止されるようになっている。
【００２６】
○  図１４に示すようにネックレス７１に具体化してもよい。図１５に示すように前記切断撚り糸混合接着剤４７によって形成された小球状のアクセサリー７２には紐挿通孔７３ａを有するパイプ７３が貫通され、前記紐挿通孔７３ａに挿通された紐７４によって、多数のアクセサリー７２が直列状に連結されている。
【００２７】
○  図１６に示すようにネクタイピン８１に具体化してもよい。ネクタイピン８１のピン本体８２の上面には前記切断撚り糸混合接着剤４７によって形成されたアクセサリー８３が接着剤によって接着され、ピン本体８２の裏面にはクランプ金具８４がバネ（図示略）を有するヒンジ機構８５を介し開放可能に取り付けられている。
【００２８】
なお、上記実施形態は以下のように変更してもよい。
○  前記アクセサリー１２、アクセサリー３２の表面に例えば柿の渋、その他の染料等で各種の色彩を単色あるいは複合色として着色するようにしてもよい。
【００２９】
○  多様化材として織り癖のない単体の撚り糸を切断したものを用いてもよい。撚り糸の材料として、和紙以外に例えば綿等の植物性繊維、羊毛等の動物性繊維、あるいは樹脂を用いてもよい。
【００３０】
○  室内外の各種器具に装着されるアクセサリーに具体化してもよい。
○  液状樹脂を支持台の上面に載せて、切断撚り糸４２ａ，４３ａ等の多様化材を攪拌混合するようにしてもよい。
【００３１】
○  前記隆起部１３をアクセサリー１２と別の材料によって形成してもよい。
○  水性形接着剤として前記酢酸ビニル樹脂以外に、水性ウレタン樹脂、水性高分子イソシアネート系接着剤、水性プロロプレンゴム系接着剤、ポリビニルアルコール、熱溶融型接着剤、ユリア樹脂系接着剤、メラミン樹脂系接着剤、フェノール樹脂系接着剤、酢酸ビニル樹脂系エマルジョン形接着剤、ＥＶＡ樹脂系エマルジョン形接着剤、アクリル樹脂系エマルジョン形接着剤、合成ゴム系ラテックス形接着剤、その他の水性形接着剤を用いてもよい。又、ホットメルト形接着剤として、ＥＶＡ樹脂系ホットメルト形接着剤、合成ゴム系ホットメルト形接着剤等がある。さらに、反応型接着剤として、エポキシ樹脂系接着剤、シアノアクリレート系接着剤、ポリウレタン系接着剤、アクリル樹脂形接着剤がある。感圧形接着剤として、アクリル樹脂系感圧形接着剤、ゴム系感圧形接着剤がある。溶融状態で乾燥して固化する例えばエポキシ樹脂等の樹脂を用いたり、水性系又は溶剤形の一液混合型の接着剤、化学反応型のニ液混合型接着剤あるいは二液接融型接着剤を用いたりしてもよい。さらに、熱溶融型接着剤、スプレー方式の粘着型接着剤を用いてもよい。
【００３２】
○  多様化材として撚り糸以外に、金属、セラミックス、あるいは樹脂等の各種の材料を、小球状、糸状、紐状又は棒状等に切断したものを用いてもよい。又、自然界に存在する小石を直接又は細分化して用いてもよい。
【００３３】
○  切断撚り糸混合接着剤４７を作成する方法として、支持台に多様化材を載せ、その上にスプレー方式の粘着型接着剤を噴射する作業を一回若しくは複数回行う方法を採用してもよい。
【００３４】
○  双糸以上の撚り糸の太さを、例えば３０ｔｅｘ（ｇ／１０００ｍ）／２（糸の本数）〜２０００ｔｅｘ（ｇ／１０００ｍ）／４のものを用いてもよい。
【図面の簡単な説明】
【００３５】
【図１】この発明のアクセサリーをブローチに具体化した一実施形態を示す正面図。
【図２】図１のブローチの背面図。
【図３】図１の１−１線断面図。
【図４】この発明をバレッタに具体化した一実施形態を示す正面図。
【図５】図４に示すバレッタの底面図。
【図６】図４の２−２線拡大断面図。
【図７】織布の斜視図。
【図８】多数の切断撚り糸を示す正面図。
【図９】切断撚り糸混合接着剤を製造する工程を説明する断面図。
【図１０】成形皿の斜視図。
【図１１】この発明のアクセサリーを花瓶に具体化した斜視図。
【図１２】この発明のアクセサリーを額縁に具体化した正面図。
【図１３】図１２の３−３線拡大断面図。
【図１４】この発明のアクセサリーをネックレスに具体化した正面図。
【図１５】ネックレスに用いるアクセサリーを拡大して示す斜視図。
【図１６】この発明のアクセサリーをネクタイピンに具体化した斜視図。
【符号の説明】
【００３６】
１２，３２，５５，７２，８３…アクセサリー、４１…織布、４２ａ，４３ａ…切断撚り糸、４５…水性形接着剤、４７…アクセサリー素材としての切断撚り糸混合接着剤、４７Ａ…切断撚り糸混合アクセサリー素材。
【図１】
2006034362.tif 000003
【図２】
2006034362.tif 000004
【図３】
2006034362.tif 000005
【図４】
2006034362.tif 000006
【図５】
2006034362.tif 000007
【図６】
2006034362.tif 000008
【図７】
2006034362.tif 000009
【図８】
2006034362.tif 000010
【図９】
2006034362.tif 000011
【図１０】
2006034362.tif 000012
【図１１】
2006034362.tif 000013
【図１２】
2006034362.tif 000014
【図１３】
2006034362.tif 000015
【図１４】
2006034362.tif 000016
【図１５】
2006034362.tif 000017
【図１６】
2006034362.tif 000018